【手続補正書】
【提出日】平成20年1月17日(2008.1.17)
【手続補正１】
【補正対象書類名】明細書
【補正対象項目名】特許請求の範囲
【補正方法】変更
【補正の内容】
【特許請求の範囲】
【請求項１】  プリント装置のプリント出力特性を保証するためのキャリブレーション方法であって、
ユーザの指示に応じて、プリント装置から、複数の画像処理条件によって処理されたパッチデータに基づきパッチをプリント出力させ、
該パッチの読取り結果から第１のプリント出力特性情報および第１のキャリブレーション情報を取得し、
前記プリント装置において、自動的に、前記複数の画像処理条件によって処理されたパッチデータに基づくパッチの出力、および該パッチの測定を行ない、
該パッチの測定結果から第２のプリント出力特性情報を取得し、
同じ画像処理条件の下で取得された前記第１のプリント出力特性情報と前記第２のプリント出力特性情報とに基づき補正データを作成し、
該作成した補正データによって、前記第１のキャリブレーション情報を補正して第２のキャリブレーション情報を取得する、
ステップを有したことを特徴とするキャリブレーション方法。
【請求項２】  前記画像処理条件は、２値化またはｎ値化(ｎは２より大)のための手法であることを特徴とする請求項１に記載のキャリブレーション方法。
【請求項３】  前記２値化またはｎ値化のための手法は、階調性を重視したドット集中ディザパターンと解像度を重視したドット分散ディザパターンを用いたディザ法であることを特徴とする請求項１または２に記載のキャリブレーション方法。
【請求項４】  前記キャリブレーション情報はガンマ補正テーブルの情報であり、前記パッチの出力および該パッチの測定を行なうステップは、当該パッチの出力を行なう前に、前記プリント装置におけるプリント出力特性の最大濃度を所定の値に調整することを特徴とする請求項１ないし３のいずれかに記載のキャリブレーション方法。
【請求項５】  前記第２のキャリブレーション情報を取得するステップは、前記第１のキャリブレーション情報の取得が行なわれていないときは、前記第２のプリント出力特性情報のみを用いて第２のキャリブレーション情報を取得することを特徴とする請求項１ないし４のいずれかに記載のキャリブレーション方法。
【請求項６】  プリント装置と該プリント装置のプリントを制御するホスト装置を有し、プリント装置のプリント出力特性を保証するためのキャリブレーションを行なうプリントシステムであって、
ユーザの指示に応じて、プリント装置から、複数の画像処理条件によって処理されたパッチデータに基づきパッチをプリント出力させるパッチ出力手段と、
該パッチ出力手段がプリント出力したパッチの読取り結果から第１のプリント出力特性情報および第１のキャリブレーション情報を取得する第１取得手段と、
前記プリント装置において、自動的に、前記複数の画像処理条件によって処理されたパッチデータに基づくパッチの出力、および該パッチの測定を行なうパッチ出力測定手段と、
該パッチの測定結果から第２のプリント出力特性情報を取得する特性情報取得手段と、
同じ画像処理条件の下で取得された前記第１のプリント出力特性情報と前記第２のプリント出力特性情報とに基づき補正データを作成する補正データ作成手段と、
該作成した補正データによって、前記第１のキャリブレーション情報を補正して第２のキャリブレーション情報を取得する第２取得手段と、
を有したことを特徴とするプリントシステム。
【請求項７】  前記画像処理条件は、２値化またはｎ値化(ｎは２より大)のための手法であることを特徴とする請求項６に記載のプリントシステム。
【請求項８】  前記２値化またはｎ値化のための手法は、階調性を重視したドット集中ディザパターンと解像度を重視したドット分散ディザパターンを用いたディザ法であることを特徴とする請求項６または７に記載のプリントシステム。
【請求項９】  前記キャリブレーション情報はガンマ補正テーブルの情報であり、前記パッチ出力測定手段は、当該パッチの出力を行なう前に、前記プリント装置におけるプリント出力特性の最大濃度を所定の値に調整することを特徴とする請求項６ないし８のいずれかに記載のプリントシステム。
【請求項１０】  前記第２取得手段は、前記第１のキャリブレーション情報の取得が行なわれていないときは、前記第２のプリント出力特性情報のみを用いて第２のキャリブレーション情報を取得することを特徴とする請求項６ないし９のいずれかに記載のプリントシステム。
【請求項１１】  プリントを行なうプリント装置であって、
ユーザの指示に基づいて当該プリント装置から複数の画像処理条件によるパッチデータに基づいて出力されたパッチの読取り結果から得られる第１のプリント出力特性情報および第１のキャリブレーション情報であって、ホスト装置からダウンロードされた第１のプリント出力特性情報および第１のキャリブレーション情報を格納する第１格納手段と、
自動的に、前記複数の画像処理条件によって処理されたパッチデータに基づくパッチの出力、および該パッチの測定を行なうパッチ出力測定手段と、
該パッチの測定結果から第２のプリント出力特性情報を取得する特性情報取得手段と、
前記第２のプリント出力特性情報および第２のキャリブレーション情報を格納する第２格納手段と、
前記第１格納手段に格納されるある画像処理条件の下の前記第１のプリント出力特性情報と前記ある画像処理条件と同じ画像処理条件の下の前記第２格納手段に格納される前記第２のプリント出力特性情報とに基づき補正データを作成する補正データ作成手段と、
該補正データ作成手段が作成した補正データによって、前記第１のキャリブレーション情報を補正して前記第２格納手段の前記第２のキャリブレーション情報を作成するキャリブレーション情報作成手段と、
を有したことを特徴とするプリント装置。
【請求項１２】  前記画像処理条件は、２値化またはｎ値化(ｎは２より大)のための手法であることを特徴とする請求項１１に記載のプリント装置。
【請求項１３】  前記２値化またはｎ値化のための手法は、階調性を重視したドット集中ディザパターンと解像度を重視したドット分散ディザパターンを用いたディザ法であることを特徴とする請求項１１または１２に記載のプリント装置。
【請求項１４】  前記キャリブレーション情報はガンマ補正テーブルの情報であり、前記パッチ出力測定手段は、当該パッチの出力を行なう前に、前記プリント装置におけるプリント出力特性の最大濃度を所定の値に調整することを特徴とする請求項１１ないし１３のいずれかに記載のプリント装置。
【請求項１５】  前記キャリブレーション作成手段は、前記第１のキャリブレーション情報の取得が行なわれていないときは、前記第２のプリント出力特性情報のみを用いて第２のキャリブレーション情報を作成することを特徴とする請求項１１ないし１４のいずれかに記載のプリント装置。
【請求項１６】  プリント装置のプリント出力特性を保証するためのキャリブレーション処理のプログラムであって、
ユーザの指示に応じて、プリント装置から、複数の画像処理条件によって処理されたパッチデータに基づきパッチをプリント出力させ、
該パッチの読取り結果から第１のプリント出力特性情報および第１のキャリブレーション情報を取得し、
前記プリント装置において、自動的に、前記複数の画像処理条件によって処理されたパッチデータに基づくパッチの出力、および該パッチの測定を行ない、
該パッチの測定結果から第２のプリント出力特性情報を取得し、
同じ画像処理条件の下で取得された前記第１のプリント出力特性情報と前記第２のプリント出力特性情報とに基づき補正データを作成し、
該作成した補正データによって、前記第１のキャリブレーション情報を補正して第２のキャリブレーション情報を取得する、
ステップを有した処理を実行するコード手段を有したことを特徴とするプログラム。
【手続補正２】
【補正対象書類名】明細書
【補正対象項目名】００１６
【補正方法】変更
【補正の内容】
【００１６】
【課題を解決するための手段】
そのために本発明では、プリント装置のプリント出力特性を保証するためのキャリブレーション方法であって、ユーザの指示に応じて、プリント装置から、複数の画像処理条件によって処理されたパッチデータに基づきパッチをプリント出力させ、該パッチの読取り結果から第１のプリント出力特性情報および第１のキャリブレーション情報を取得し、前記プリント装置において、自動的に、前記複数の画像処理条件によって処理されたパッチデータに基づくパッチの出力、および該パッチの測定を行ない、該パッチの測定結果から第２のプリント出力特性情報を取得し、同じ画像処理条件の下で取得された前記第１のプリント出力特性情報と前記第２のプリント出力特性情報とに基づき補正データを作成し、該作成した補正データによって、前記第１のキャリブレーション情報を補正して第２のキャリブレーション情報を取得する、ステップを有したことを特徴とする。
【手続補正３】
【補正対象書類名】明細書
【補正対象項目名】００１７
【補正方法】変更
【補正の内容】
【００１７】
また、プリント装置と該プリント装置のプリントを制御するホスト装置を有し、プリント装置のプリント出力特性を保証するためのキャリブレーションを行なうプリントシステムであって、ユーザの指示に応じて、プリント装置から、複数の画像処理条件によって処理されたパッチデータに基づきパッチをプリント出力させるパッチ出力手段と、該パッチ出力手段がプリント出力したパッチの読取り結果から第１のプリント出力特性情報および第１のキャリブレーション情報を取得する第１取得手段と、前記プリント装置において、自動的に、前記複数の画像処理条件によって処理されたパッチデータに基づくパッチの出力、および該パッチの測定を行なうパッチ出力測定手段と、該パッチの測定結果から第２のプリント出力特性情報を取得する特性情報取得手段と、同じ画像処理条件の下で取得された前記第１のプリント出力特性情報と前記第２のプリント出力特性情報とに基づき補正データを作成する補正データ作成手段と、該作成した補正データによって、前記第１のキャリブレーション情報を補正して第２のキャリブレーション情報を取得する第２取得手段と、を有したことを特徴とする。
【手続補正４】
【補正対象書類名】明細書
【補正対象項目名】００１８
【補正方法】変更
【補正の内容】
【００１８】
さらに、プリントを行なうプリント装置であって、ユーザの指示に基づいて当該プリント装置から複数の画像処理条件によるパッチデータに基づいて出力されたパッチの読取り結果から得られる第１のプリント出力特性情報および第１のキャリブレーション情報であって、ホスト装置からダウンロードされた第１のプリント出力特性情報および第１のキャリブレーション情報を格納する第１格納手段と、自動的に、前記複数の画像処理条件によって処理されたパッチデータに基づくパッチの出力、および該パッチの測定を行なうパッチ出力測定手段と、該パッチの測定結果から第２のプリント出力特性情報を取得する特性情報取得手段と、前記第２のプリント出力特性情報および第２のキャリブレーション情報を格納する第２格納手段と、前記第１格納手段に格納されるある画像処理条件の下の前記第１のプリント出力特性情報と前記ある画像処理条件と同じ画像処理条件の下の前記第２格納手段に格納される前記第２のプリント出力特性情報とに基づき補正データを作成する補正データ作成手段と、該補正データ作成手段が作成した補正データによって、前記第１のキャリブレーション情報を補正して前記第２格納手段の前記第２のキャリブレーション情報を作成するキャリブレーション情報作成手段と、を有したことを特徴とする。
【手続補正５】
【補正対象書類名】明細書
【補正対象項目名】００１９
【補正方法】変更
【補正の内容】
【００１９】
以上の構成によれば、プリント装置のプリント出力特性を保証するためのキャリブレーション方法であって、ユーザの指示に応じて、プリント装置から、複数の画像処理条件によって処理されたパッチデータに基づきパッチをプリント出力させ、該パッチの読取り結果から第１のプリント出力特性情報および第１のキャリブレーション情報を取得し、前記プリント装置において、自動的に、前記複数の画像処理条件によって処理されたパッチデータに基づくパッチの出力、および該パッチの測定を行ない、該パッチの測定結果から第２のプリント出力特性情報を取得し、同じ画像処理条件の下で取得された前記第１のプリント出力特性情報と前記第２のプリント出力特性情報とに基づき補正データを作成し、該作成した補正データによって、前記第１のキャリブレーション情報を補正して第２のキャリブレーション情報を取得するので、それぞれの読取りもしくは測定が画像処理条件の違いによって相互に異なったものになることを防止できる。
【手続補正６】
【補正対象書類名】明細書
【補正対象項目名】００９５
【補正方法】変更
【補正の内容】
【００９５】
【発明の効果】
以上説明したように本発明によれば、プリント装置のプリント出力特性を保証するためのキャリブレーション方法であって、ユーザの指示に応じて、プリント装置から、複数の画像処理条件によって処理されたパッチデータに基づきパッチをプリント出力させ、該パッチの読取り結果から第１のプリント出力特性情報および第１のキャリブレーション情報を取得し、前記プリント装置において、自動的に、前記複数の画像処理条件によって処理されたパッチデータに基づくパッチの出力、および該パッチの測定を行ない、該パッチの測定結果から第２のプリント出力特性情報を取得し、同じ画像処理条件の下で取得された前記第１のプリント出力特性情報と前記第２のプリント出力特性情報とに基づき補正データを作成し、該作成した補正データによって、前記第１のキャリブレーション情報を補正して第２のキャリブレーション情報を取得するので、それぞれの読取りもしくは測定が画像処理条件の違いによって相互に異なったものになることを防止できる。
【手続補正７】
【補正対象書類名】明細書
【補正対象項目名】００９６
【補正方法】変更
【補正の内容】
【００９６】
この結果、第１のプリント出力特性情報および第１のキャリブレーション情報を取得する処理、第２のキャリブレーション情報を取得処理について、相互に画像処理条件の適合した条件下で高精度なキャリブレーションを行なうことを可能となる。